(57)【要約】【課題】  網戸等の枠組みの連結ブロックを外すことなく、枠組みを維持したまま、ネットを巻取装置と共に容易に外すことのできるネット収納枠付きの網戸および網窓を提供する。【解決手段】  両方の連結ブロックは、金属製又は樹脂製の内基板がビス止めされ、一端では連結ブロックと内基板との間に前記調整装置を内装し、他端の連結ブロックでは、それ自体に又はそれに付着する部品に巻取軸の回転の中心となる軸支穴を設け、巻取軸の他端には下部軸受を設け、それに前記中心軸と同軸上に、軸支穴に出入りする指掛け付きの可動軸を設けた。【選択図】    図２
2006233484.tif 000002
【特許請求の範囲】
【請求項１】
左右縦枠と上下枠とによりネットを開閉する枠組みがなされ、そのうちの一の枠をネット収納枠として、それにコイルスプリングの弾力で巻取軸が中心軸を中心に回転するネットの巻取装置を内装するとともに、巻取装置を取り外し得るように開閉カバーを軸支し、このネット収納枠の両端にそれぞれ面当てしてプラスチックからなる板状の連結ブロックをビス止めし、一端の連結ブロックの側で巻取装置の調整装置を備え、調整装置に巻取軸の中心軸が抜き差し可能に連結される網戸および網窓において、両方の連結ブロックは、金属製又は樹脂製の内基板がビス止めされ、一端では連結ブロックと内基板との間に前記調整装置を内装し、他端の連結ブロックでは、それ自体に又はそれに付着する部品に巻取軸の回転の中心となる軸支穴を設け、巻取軸の他端に設けた下部軸受には、前記中心軸と同軸上に、軸支穴に出入りする指掛け付きの可動軸を設けたことを特徴とするネット収納枠付きの網戸および網窓。
【請求項２】
ネット収納枠が左右いずれかの縦枠であって、それに内装されるネットの巻取装置について、筒形の巻取軸の上端に中心軸を軸支する軸受を固着し、下部軸受に可動軸を下へ付勢するコイルばねを内装し、さらに、下部軸受には下部内基板に接合する座板を鍔状に設けてあることを特徴とする請求項１記載のネット収納枠付きの網戸および網窓。
【発明の詳細な説明】
【技術分野】
【０００１】
この発明は、ネットをスプリングの弾力で自動的に巻取り戻して開くようにした収納枠付きの網戸および網窓に関する。
【背景技術】
【０００２】
従来、網戸等では、ネットが季節的に不要となるときには仕舞うことができるように、一端にネット収納枠を組み込んで枠組みされる。この場合、ネット収納枠は、実施例の図面に示すように、上下両端に面当てにおいて連結ブロック８，９がビス止めされ、その間において、ネット５の巻取装置７として、巻取軸２７、自動的に巻く力を蓄えるコイルスプリング２５、巻取軸２７に対してコイルスプリング２５に回転弾発力を付与する中心軸３１等が内装される。また、ネット５の先に可動框１２が取り付けられ、可動框１２が他方の縦枠２にコイルスプリング２５の弾発力に抗して止められネットが張り状態となる。
【０００３】
また、張り状態を解除すると、コイルスプリング２５の力により自動的にネット５が巻取り戻されるが、ネットの張りと収納とが過不足なく正常に行われるためには、時にはその調整が必要であるので、上端にその調整装置１０の主要部が設けられるが、これは内部の巻取装置７やコイルスプリング２５等と関連した構造であった。
【０００４】
ネット収納枠には、僅かの隙間から虫やゴミが侵入し、また、ネットに付着していたゴミが収納と同時に侵入することになるので、いつの間にか内部が虫の死骸やゴミで汚れてくることは避けられなかった。
【発明の開示】
【発明が解決しようとする課題】
【０００５】
ネットの収納枠においては、上記のように、ネットを収納する構造を取る必要や機能を維持保全する必要等から、前面が開閉カバー１７となっていたが、開閉カバーを開いただけでは、構造が入り組んでいるため内部を綺麗に掃除することができなかった。特に、ネットに付着している汚れを取るには、ネットの巻取軸２７を取り外せばその作業が容易となるが、巻取軸２７が連結ブロック８，９上下枠３，４から外さない限り外れない構造となっていたので、実際にはネットを取り外して掃除することはできなかった。
【０００６】
この発明は、上記のような実情に鑑みて、網戸等の枠組みの連結ブロックを外すことなく、枠組みを維持したまま、ネットを巻取装置と共に容易に外すことのできるネット収納枠付きの網戸および網窓を提供することを課題とした。
【課題を解決するための手段】
【０００７】
この発明は、上記の課題を解決するために、左右縦枠と上下枠とによりネットを開閉する枠組みがなされ、そのうちの一の枠をネット収納枠として、それにコイルスプリングの弾力で巻取軸が中心軸を中心に回転するネットの巻取装置を内装するとともに、巻取装置を取り外し得るように開閉カバーを軸支し、このネット収納枠の両端にそれぞれ面当てしてプラスチックからなる板状の連結ブロックをビス止めし、一端の連結ブロックの側で巻取装置の調整装置を備え、調整装置に巻取軸の中心軸が抜き差し可能に連結される網戸および網窓において、両方の連結ブロックは、金属製又は樹脂製の内基板がビス止めされ、一端では連結ブロックと内基板との間に前記調整装置を内装し、他端の連結ブロックでは、それ自体に又はそれに付着する部品に巻取軸の回転の中心となる軸支穴を設け、巻取軸の他端には下部軸受を設け、それに前記中心軸と同軸上に、軸支穴に出入りする指掛け付きの可動軸を設けたことを特徴とするネット収納枠付きの網戸および網窓を提供する。
【０００８】
ネット収納枠付きの網戸および網窓を上記のように構成したから、収納枠に巻き取ったネットを取り外すときには、開閉カバーを開いた状態において、下部軸受に突出する指掛けを持ち上げながら、可動軸を軸支穴から引き上げることにより、巻取軸を下端から引き出す。そうすると、ネットが巻かれた巻取装置は、上端では調整装置から巻取装置の中心軸が外れるので、ネット収納枠が空になるように巻取装置をネットと共に取り外すことができる。
【発明の効果】
【０００９】
以上説明したように、この発明のネット収納枠付きの網戸および網窓によれば、その枠組みを解体することなくそのままの状態で、巻取装置をネット収納枠から分離して取り外すことができるので、ネット収納枠の中を掃除できるとともに、巻取装置からネットを巻き戻しながら引き出してそれも完全に掃除できるという優れた効果がある。
【００１０】
さらに、下部軸受に可動軸を下へ付勢するコイルばねを内装したり、下部内基板に接合する座板を形成したときには（請求項２）、巻取軸の下端部の支持が確実となる。
【発明を実施するための最良の形態】
【００１１】
次に、この発明の実施形態を図面に基づいて説明する。
【００１２】
図１ないし図４は防虫網戸として実施した一例を示し、その防虫網戸は、一方の縦枠をネット収納枠１としたもので、そのネット収納枠１と他方の縦枠２と、上下枠３，４で枠組みされ（図１，図２）、ネット収納枠１にネット５の巻取装置７が装備され、その枠組みについて、ネット収納枠１と上下枠３，４とには、それぞれ連結片８ａ，９ａ付きの連結ブロック８，９が用いられ、また、連結ブロック８，９にそれぞれ内基板１３，１４が伴っている。そして、ネット収納枠１の上端において、巻取装置７の調整装置１０が設けられ、それが連結ブロック８と内基板１３との間に装備される。また、ネット収納枠１の下端では、巻取装置７の軸受子１５が用いられ、それが連結ブロック９と内基板１４との間に挟持される（図３）。
【００１３】
巻取装置７は、取り外し可能となっているが、それには、上記の調整装置１０から外すのに先立って下端の軸受子１５から分離されるようになっている。なお、ネット５の先端には可動框１２を接続し、縦枠２に上下磁石１８，１８を取付け、可動框１２にそれに吸着される金属の磁石受け１８ａ，１８ａが取り付けてある。
【００１４】
ネット収納枠１は、枠本体１６と開閉カバー１７との組合せからなるもので、それぞれ断面Ｌ字形に形成され、枠本体１６については、内角と両端にビスポケット１９，１９，１９を設け（図４）、そのうちの一端のビスポケット１９を軸として開閉カバー１７が開閉可能に軸支され、その軸支のために、開閉カバー１７の基端にビスポケット１９に嵌まる一回り大きい軸受ポケット２０が形成される。
【００１５】
巻取装置７は、主要部がネット収納枠１の中に内装され（図３）、中心軸３１に筒形の巻取軸２７を軸承し、その軸承には、上部軸受３５と軸支体３５ａと下部軸受３６が巻取軸２７に嵌められる。そして、コイルスプリング２５が中心軸３１の上端部に挿入され、中心軸３１の回転によりコイルスプリング２５が巻かれるように、その下端を中間の軸受３５に掛止し、上端を中心軸３１に止め具３７で固着してある。そこで、ネット５を開く矢印Ｐａ方向へ可動框１２を移動させネット５を引き出すと、コイルスプリング２５に弾力が蓄積され、ネット５を巻き取る矢印Ｐｂ回転方向へ付勢される。
【００１６】
中心軸３１の上端には、調整装置１０との連結片３８がマイナス（−）形突片に加工して形成されているので、巻取装置７は、下端を軸受子１５から解放すれば、下降により連結片３８が外れることにより、全体的にネット収納枠１から取り外すことができる。巻取装置７の下端を解放するために次のような構造がとられている。なお、後記実施形態では、この点についてさらに改良して発展させたものを示した。
【００１７】
下部軸受３６は、中心に軸穴４２を有する筒形であって、下端部に軸穴４２が開口する縦のガイド溝４４が形成される。そして、上端部において中心軸３１が回転可能に軸支され、巻取軸２７が固定されている。しかし、下端部においては、軸受子１５に脱出可能に落ち込む可動軸３２が上下可能に嵌まっており、それにはガイド溝４４から突出する指掛け４６が突出さされている。また、可動軸３２の下端には軸受子１５に回転可能に嵌まる細軸３２ａが形成され、可動軸３２がそれとの間の環状段差により軸受子１５に受けられるようになっている。
【００１８】
調整装置１０は、上端の連結ブロック８と内基板１３との間に、中心軸３１と同軸に回転する原動歯車３９と、それに噛合する従動歯車４１とを挟んで支承したもので、さらにその間には、コイルスプリング２５の弾力を溜め込む原動歯車３９を停止および解除するラチェットレバー４３と、それを停止方向に付勢するばねピン４５が内装される。
【００１９】
原動歯車３９は、上にラチェット車４０を一体に形成したもので、上下に円形の軸部１７，４７を突設し、それにマイナス（−）形のドライバー穴４９が上下に貫通して形成され、その穴４９の下端に中心軸３１の上端の連結片３８が脱出可能に嵌入される。また、従動歯車４１にも上下に軸部４８，４８を突設し、これにもマイナス形のドライバー穴５０が形成される。また、ラチェットレバー４３は、く字形に屈折した形状であって、基端に軸受穴５１を、先端に指掛け５３をそれぞれ形成し、中間にラチェット車４０と噛合するラチェット５５が突設される。なお、側面にばねピン４５が掛かる細溝が形成される。
【００２０】
上下連結ブロック８，９は、ほぼ四角形の板状であって一側の室外寄りから連結片８ａ，９ａが二股に突設してなるもので、上下内基板１３，１４とともに上下対称の同一形状となっている（図５，図６参照）。その形状については、周囲に枠本体１６の内側に接合する嵌合壁５６を突設し、それが前面から収納口２１に至る部分を除いて形成されており、それに内基板１３，１４が当たることによりそれとの間のセパレータの役目を果たしている。そして、嵌合壁５６を有する部分の３つの角部に、枠本体１６のビスポケット１９，１９，１９に取付ビスを螺入するために、その通し穴６１，６１，６１が設けられている。また、嵌合壁５６に当てて内基板１３，１４を固定するために、嵌合壁５６と一体的に、固定ビス６３，６３を螺入する一対の筒形螺入穴６４，６４が突設される。
【００２１】
さらに、連結ブロック８，９の四角形の中心部に原軸穴５７を、アール角近くに従軸穴５９をそれぞれ設け、奥端部にラチェットレバー４３の従軸穴５９が嵌まる回動軸６５を突設し、その横にはばねピン４５が嵌まる支軸６７を突設してある。また、前端近くにはラチェットレバー４３の受け６８が突設され、ラチェットレバー４３は回動軸６５を中心にばねピン４５により付勢され、受け６８に止められた状態においてラチェット車４０に掛かっている。そこで、ラチェットレバー４３をばねピン４５の弾力に抗して引くと、コイルスプリング２５が戻る力で原動歯車３９が回転するので、引く程度でコイルスプリング２５を緩ませる調整ができる。また、連結片８ａ，９ａについては、二股のそれぞれに一対ずつ連結ビス６９，６９の螺入穴７１，７１が形成されている。
【００２２】
上下内基板１３，１４は、これも互いに上下対称形状の金属製又はプラスチック（樹脂）製であって、枠本体１６のビスポケット１９，１９，１９の箇所と、連結ブロック８，９のアール角の部分との四隅が切り欠かれた形状となっており、中心部に連結ブロック８，９の原軸穴５７に対応する原軸穴５７ａと、従軸穴５９に対応する従軸穴５９ａがそれぞれ形成される。また、内基板１３，１４を止める固定ビス６３，６３の通し穴７３，７３が穿設される。
【００２３】
下端に有する軸受子１５は、巻取装置７の可動軸３２の下端細軸３２ａが嵌まる軸支穴８０を有する筒形であって、連部片７７を介して短柱状の連れ子７９が一体にプラスチックで成形され、軸受子１５の上下両端に内基板１４の原軸穴５７ａと連結ブロック９の原軸穴５７にそれぞれ嵌まる円形の突部８１，８１が形成される。同様に、連れ子７９の上下両端には従軸穴５９ａ，５９にそれぞれ嵌まる突部８２，８２が形成される。
【００２４】
図５ないし図１２は、他の実施形態を示したもので、この場合は、前記実施形態に対して主に巻取装置７について改善したもので、巻取装置７は、図５に示すように、調整装置１０のドライバー穴４９（図２参照）に下から差し込んで連結する中心軸３１を中心としたもので、中心軸３１の上端部に上部軸受３５が回転可能に軸支されるが、軸支体３５ａは中心軸３１に固着され、巻取軸２７に対して回転可能となっている。また、コイルスプリング２５が上端で上部軸受３５に固着されている。そこで、ネット５が引き出されて（窓が閉じられて）コイルスプリング２５に弾力が蓄積され、ネット５を解放するとその弾力で引き戻されることになる。しかし、前記実施形態のものとは違って、巻取軸２７の下端に中心軸３１と関係なく下部軸受３６が一体に嵌着されている。
【００２５】
下部軸受３６は、軸受本体８５を主体として、それに可動軸３２、詰め栓８６、コイルばね８８を組み合わせたもので、軸受本体８５は、コイルばね８８と可動軸３２の上部とが納まる筒形であって、その下端に下部内基板１４の上に接合する大径の座板８９が形成され、上端には筒形が拡張する大径の取付部９０が形成され、取付部９０を巻取軸２７の下端に嵌着してそれに取り付けられる。このような大円盤形の座板８９と筒形が拡張する大径の取付部９０を備えた軸受本体８５より成る下部軸受３６と、上記した上部軸受３５とにより、巻取軸２７及びその内部の構成部分等の回転を安定させる機能が装備されている。
【００２６】
軸受本体８５の小径筒形部分には、一側に縦にガイド溝４４が設けられ、座板８９の中心には可動軸３２が垂下する通し穴９２が設けられている。可動軸３２は、上端に指掛け４６付きの頭部９３が形成され、その頭部９３が小径の筒内部に納まっているので、コイルばね８８が頭部９３を押さえることにより、可動軸３２が軸支穴９２から常時垂下している。また、指掛け４６がガイド溝４４から突出しているので、指掛け４６に触れながら可動軸３２をコイルばね８８の弾力に抗して持ち上げることができる。
【００２７】
コイルばね８８はこの弾力を保持するために、上端が詰め栓８６によって停止されており、詰め栓８６は、コイルばね８８を止めるために軸受本体８５の取付部９０の中に収納され固定される。その固定の手段として、取付部９０に相対向する位置にスリット９５，９５を設け、詰め栓８６にはスリット９５，９５に嵌まる突片９６，９６を突設し、それが巻取軸２７によって押さえ止められるようになっている。
【００２８】
また、下部連結ブロック９には、内基板１４がビス止めされ、その両方に軸支穴８０が設けられていおり（前記実施形態とは違って軸受子１５は使用されていない）、指掛け４６で可動軸３２を軸支穴８０から引き上げることにより、巻取軸２７の下端部が自由となるので、下端部からそれを引き出すことができる。
【図面の簡単な説明】
【００２９】
【図１】この発明の一実施形態によるネット収納枠付き網戸および網窓を示す分解斜視図である。
【図２】同要部をさらに分解した斜視図である。
【図３】同網戸および網窓の要部を示す正面から見た断面図である。
【図４】図３のＡ−Ａ線矢視の断面図である。
【図５】他の実施形態による巻取軸を示す断面図である。
【図６】同実施形態における下部軸受の本体を示す正面図である。
【図７】同下部軸受本体の平面図である。
【図８】図７のＢ−Ｂ線矢視の断面図である。
【図９】同下部軸受に使用される可動軸の拡大した正面図である。
【図１０】同可動軸の平面図である。
【図１１】同下部軸受に使用される詰め栓の一部切欠した拡大した正面図である。
【図１２】同詰め栓の底面図である。
【符号の説明】
【００３０】
１  ネット収納枠
２  縦枠
３  上枠
４  下枠
５  ネット
７  巻取装置
８，９  連結ブロック
８ａ，９ａ  連結片
１０  調整装置
１３，１４  内基板
１５  付着する部品としての軸受子
１７  開閉カバー
２５  コイルスプリング
２７  巻取軸
３１  中心軸
３２  可動軸
３５  軸受
３５ａ  軸支体
３６  下部軸受
８０  軸支穴
【図１】
2006233484.tif 000003
【図２】
2006233484.tif 000004
【図３】
2006233484.tif 000005
【図４】
2006233484.tif 000006
【図５】
2006233484.tif 000007
【図６】
2006233484.tif 000008
【図７】
2006233484.tif 000009
【図８】
2006233484.tif 000010
【図９】
2006233484.tif 000011
【図１０】
2006233484.tif 000012
【図１１】
2006233484.tif 000013
【図１２】
2006233484.tif 000014